(57)【特許請求の範囲】
【請求項１】
板状をなし、コーナー部に略Ｌ字状の切欠部が設けられた第１止水片と、この第１止水片の略Ｌ字状の切欠部の２辺部から、それぞれ前記第１止水片に対して略直交するように立設されるとともに互いに略直交して接合された板状の第２止水片及び第３止水片とを備えた止水プレートを２つ用いることで、外壁の外壁面に、前記外壁の上下方向の途中から該外壁に略直交するように突出して接合された突出壁の上部の上端面及び両側面と、該上端面及び両側面と隣り合う外壁の外壁面との接合部分が覆われた止水構造であって、
前記突出壁は、壁の出隅部に、一側面が前記出隅部を構成する壁面のうちの一方の壁面と面一となるように、且つ、他側面が、前記出隅部を構成する壁面のうちの他方の壁面と略直交するように接合され、
二つの止水プレートのうち一方の止水プレートは、第１止水片と第２止水片との略直交部分が前記突出壁の上端面と該上端面と隣り合う外壁の外壁面との接合部分に沿って配置されることで、前記第１止水片は前記外壁の外壁面に当接され、第２止水片が前記上端面に当接され、第３止水片が前記突出壁の他側面に当接された状態で取り付けられ、
他方の止水プレートは、第１止水片が前記突出壁の一側面と該一側面と略面一である前記外壁面とに当接され、第２止水片が前記上端面と隣り合う外壁の外壁面に当接された第１止水プレートの第１止水片に重ねられ、第３止水片が前記上端面に当接された前記第１止水プレートの第２止水片に重ねられた状態で取り付けられていることを特徴とする止水構造。
【請求項２】
板状をなし、コーナー部に略Ｌ字状の切欠部が設けられた第１止水片と、この第１止水片の略Ｌ字状の切欠部の２辺部から、それぞれ前記第１止水片に対して略直交するように立設されるとともに互いに略直交して接合された板状の第２止水片及び第３止水片とを備えた止水プレートを２つ用いることで、外壁の外壁面に、前記外壁の上下方向の途中から該外壁に略直交するように突出して接合された突出壁の上部の上端面及び両側面と、該上端面及び両側面と隣り合う外壁の外壁面との接合部分が覆われた止水構造であって、
前記突出壁は、前記外壁の中央部に、両側面が前記外壁の外壁面と略直交するように接合され、
二つの止水プレートのうち一方の止水プレートは、第１止水片と第２止水片との略直交部分が前記突出壁の上端面と該上端面と隣り合う外壁の外壁面との接合部分に沿って配置されることで、前記第１止水片が前記外壁の外壁面に当接され、第２止水片が前記上端面に当接され、第３止水片が前記突出壁の一側面に当接された状態で取り付けられ、
他方の止水プレートは、第１止水片と第３止水片との略直交部分が前記第１止水プレートの第１止水片及び第２止水片との略直交部分に沿って配置されて、第１止水片が、前記一方の止水プレートの第１止水片の前記上端面と隣り合う外壁の外壁面に当接された部分で重ねられ、前記第２止水片が前記突出壁の他側面に当接された状態で取り付けられていることを特徴とする止水構造。
【発明の詳細な説明】
【０００１】
【発明の属する技術分野】
本発明は、外壁に略直交して取り付けられる壁体上部の接合部分の止水を行う止水構造に関する。
【０００２】
【背景の技術】
近年、住宅の構築についてはその工業化が進み、例えば壁や床、屋根といった構成要素を予め工場にてパネル化しておき、施工現場でこれらのパネルを組み立てることにより、住宅を構築するといったパネル工法が一部に採用されている。
【０００３】
例えば、住宅の壁体として使用される壁パネルは、２本の縦框材と横框材とが矩形状に組み立てられるとともに、この矩形枠の内部に補強用桟材が縦横に組まれて枠体が形成され、さらにこの枠体内にグラスウールなどの断熱材が充填された状態で枠体の表裏面に合板等の面材が貼設されて構成される。
【０００４】
上述のパネル工法で住宅を建設する際においては、例えば、住宅の壁体は、工場で製造した複数枚の壁パネルを現場に搬送して、現場において複数枚の壁パネルを左右に連結する。そして、壁パネルの表面に止水シート、胴縁、サイディング板等の外装仕上材を取り付けることにより構築される。
【０００５】
そして、このようなパネル工法により構築された住宅にバルコニーを設ける場合は、例えば、特開２００１−１３２０８７号公報に示すような方法が知られている。
この公報に開示の方法では、パネル工法によるプレファブ住宅の上階にバルコニーを設ける際に、その建物の外壁にバルコニー床パネル及びバルコニー側壁用壁パネルを外壁に該外壁から突出するように接合すると共に、バルコニー床パネルの上面端部及びバルコニー側壁用壁パネルの先端面にバルコニー正面壁用壁パネルを接合して構成される。なお、この公報における各壁パネルの表裏面には、止水シート、外装仕上げ材が予め取り付けられて艤装された状態で現場に搬入されて組み立てられるものとなっている。
【０００６】
【発明が解決しようとする課題】
ところで、上述した従来のバルコニーの取付構造におけるバルコニー側壁用壁パネルのように建物の外壁に該外壁から突出するように接合される突出壁と、住宅の外壁との接合部分の止水処理は、接合部分において、バルコニー側壁用壁パネルや、外壁の外壁面に取り付けられた止水シートの端部どうしにブチルテープなどの止水テープを取り付ける等して行われる。
特に、バルコニー側壁用壁パネル（突出壁）上部の接合部分の止水処理は、バルコニー側壁用壁パネルの接合端縁の両側縁に下から立ち上げられるようにして取り付けられた止水テープの上部に切り込みを入れて回し込むことでバルコニー側壁用壁パネルの上端面の基端部の止水処理を行っており、手間が掛かっていた。
【０００７】
本発明の課題は、バルコニーの側壁用壁パネル等のように、外壁と、該外壁に対して略直交して前記外壁の外壁面に取り付けられた突出壁の上部との接合部分の止水処理工程を容易に行うことができる止水構造を提供することである。
【００１４】
【課題を解決するための手段】
以上の課題を解決するため、請求項１記載の発明は、図３に示すように、板状をなし、コーナー部に略Ｌ字状の切欠部３１が設けられた第１止水片３２と、この第１止水片３２の略Ｌ字状の切欠部３１の２辺部３１ａ，３１ｂから、それぞれ前記第１止水片３２に対して略直交するように立設されるとともに互いに略直交して接合された板状の第２止水片及び第３止水片３３，３４とを備えた止水プレートを２つ用いることで、外壁の外壁面に、前記外壁の上下方向の途中から該外壁に略直交するように突出して接合された突出壁の上部の上端面及び両側面と、該上端面及び両側面と隣り合う外壁の外壁面との接合部分が覆われた止水構造であって、例えば、図６及び図７に示すように、前記突出壁２２は、壁１Ｂの出隅部１３に、一側面２２ｂが前記出隅部１３を構成する壁面のうちの一方の壁面１３ａと面一となるように、且つ、他側面が、前記出隅部１３を構成する壁面のうちの他方の壁面１３ｃと略直交するように接合され、二つの止水プレート３ａ，３ｂのうち一方の止水プレート３ａは、第１止水片３２と第２止水片３３との略直交部分が前記突出壁２２の上端面２２ａと該上端面２２ａと隣り合う外壁の外壁面１３ｂとの接合部分に沿って配置されることで、前記第１止水片３２は前記外壁の外壁面１３ｂに当接され、第２止水片３３が前記上端面２２ａに当接され、第３止水片３４が前記突出壁２２の他側面（図６及び図７で突出壁２２の奧側の側面）に当接された状態で取り付けられ、他方の止水プレート３ｂは、第１止水片３２が前記突出壁２２の一側面２２ｂと該一側面２２ｂと略面一である前記外壁面１３ａとに当接され、第２止水片３３が前記上端面２２ａと隣り合う外壁の外壁面１３ｂに当接された第１止水プレート３ａの第１止水片３２に重ねられ、第３止水片３４が前記上端面２２ａに当接された前記第１止水プレート３ａの第２止水片３３に重ねられた状態で取り付けられていることを特徴とする。
【００１５】
請求項１記載の発明によれば、突出壁２２が、壁１Ｂの出隅部１３に、一側面２２ｂが前記出隅部１３を構成する壁面のうちの一方の壁面１３ａと面一となるように、且つ、他側面が、前記出隅部１３を構成する壁面のうちの他方の壁面１３ｃと略直交するように接合された構造であっても、前記突出壁２２上部と前記出隅部１３との接合部分は前記２つの止水プレート３ａ，３ｂにより覆われ、これら接合部分への透水を防止することができる。つまり、前記突出壁が、外壁に対して略直交して前記外壁に取り付けられたバルコニーや出窓の側壁等である場合、前記突出壁の上部と前記袖壁との接合部分に止水プレートを取り付けるだけで、壁面突出壁の上部と外壁との接合部分の止水処理工程が容易に行うことができる。
【００１６】
請求項２記載の発明は、図３に示すように、板状をなし、コーナー部に略Ｌ字状の切欠部３１が設けられた第１止水片３２と、この第１止水片３２の略Ｌ字状の切欠部３１の２辺部３１ａ，３１ｂから、それぞれ前記第１止水片３２に対して略直交するように立設されるとともに互いに略直交して接合された板状の第２止水片及び第３止水片３３，３４とを備えた止水プレートを２つ用いることで、外壁の外壁面に、前記外壁の上下方向の途中から該外壁に略直交するように突出して接合された突出壁の上部の上端面及び両側面と、該上端面及び両側面と隣り合う外壁の外壁面との接合部分が覆われた止水構造であって、例えば、図１及び図２に示すように、前記突出壁２は、前記外壁１の中央部に、両側面（２ｂ，２ｃ）が前記外壁１の外壁面１ａと略直交するように接合され、二つの止水プレート（例えば第１止水プレート３ａ及び第２止水プレート３ｂ）のうち一方の止水プレート３ａは、第１止水片３２と第２止水片３３との略直交部分が前記突出壁２の上端面２ａと該上端面２ａと隣り合う外壁の外壁面１ａとの接合部分に沿って配置されることで、前記第１止水片３２が前記外壁の外壁面１ａに当接され、第２止水片３３が前記上端面２ａに当接され、第３止水片３４が前記突出壁２の一側面２ｂに当接された状態で取り付けられ、他方の止水プレート３ｂは、第１止水片３２と第３止水片３４との略直交部分が前記第１止水プレート３ａの第１止水片３２及び第２止水片３３との略直交部分に沿って配置されて、第１止水片３２が、前記一方の止水プレート３ａの第１止水片３２の前記上端面２ａと隣り合う外壁の外壁面１ａに当接された部分で重ねられ、前記第２止水片３３が前記突出壁２の他側面２ｃに当接された状態で取り付けられていることを特徴とする。
【００１７】
請求項２記載の発明によれば、前記突出壁２が、前記外壁１の中央部に、両側面（２ｂ，２ｃ）が前記外壁１の外壁面１ａと略直交するように接合された構造であっても、前記突出壁２上部と前記外壁１との接合部分は前記２つの止水プレート３ａ，３ｂにより覆われ、これら接合部分への透水を防止することができる。つまり、前記突出壁が、外壁に対して略直交して前記外壁に取り付けられたバルコニーや出窓の側壁等である場合、前記突出壁の上部と前記袖壁との接合部分に止水プレートを取り付けるだけで、壁面突出壁の上部と外壁との接合部分の止水処理工程が容易に行うことができる。
【００２０】
【発明の実施の形態】
以下、図を参照して本発明の実施の形態を詳細に説明する。
まず、構成を説明する。なお、本実施の形態における外壁は、パネル工法により構築された住宅の外壁であり、このパネル工法とは、周知のように予め工場等で、例えば、棧材を枠状に組んだ枠体と、該枠体内に縦、横もしくは縦横に配置された棧材と、枠体の少なくとも一方の側面に配置された面材とからなる木質パネルを製造し、現場で組み付けることにより、住宅の床、壁、屋根等を構築するものである。
【００２１】
図１に示す止水構造１０は、外壁１と、該外壁１に水平方向に突出して接合された突出壁２と、突出壁２の上部と外壁１との接合部周囲に取り付けられる第１止水プレート３ａ及び第２止水プレート３ｂと、防水透湿シート４、屋根耐水シート５、止水テープ６等を備える。
【００２２】
図１に示す外壁１は、例えば、２枚の外壁パネルを互いに端面で接合一体化して形成され、その外壁パネルは、表裏の合板による面材の間に、角材による枠部を含む縦横の芯材を介装して接合一体化してなるものである、例えば、厚さ９０ｍｍのものである。
外壁１の外壁面（外壁面）１ａには、外部側から内部側への止水機能と内部側から湿気を外部側に通す防水透湿シート４が貼り付けられている。
この防水透湿シート４は、突出壁２の接合部分を除いて外壁１の外壁面１ａに所定の箇所（要所要所）でステープル、テープ等の取り付け部材により留められて貼られた状態となっている。なお、防水透湿シート４の上からは、図示しない胴縁を外壁１の適宜箇所に釘打ちして取り付けておき、その胴縁に対し図示しないサイディングを釘打ちしてそれぞれ取り付けておいてもよい。
このサイディングは、その側縁部に沿って予め突出壁２の接合部分の周囲を囲むように切欠部をそれぞれ形成されるものである。
【００２３】
突出壁２（例えば、出窓の側壁）は、木質パネルにより構成されておりその両側面には、外部側から内部側への止水機能と内部側から湿気を外部側に通す防水透湿シート４ａが貼り付けられている。
また、突出壁２は、基端面が外壁１の外壁面１ａに当接され、外壁１の上下方向の途中から略直交するように突出して接合されており、その基端面側上部の上端面２ａ及び両側面２ｂ，２ｃのそれぞれに略直交して、且つ水平方向に外壁１の外壁面１ａ隣接した状態となっている。
【００２４】
さらに、突出壁２の上部の接合部分を覆うように、第１止水プレート３ａと第２止水プレート３ｂが貼り付けられ、これら第１止水プレート３ａと第２止水プレート３ｂは既に外壁１の外壁面１ａに貼り付けられている防水透湿シート４の裏側で重ねられ、止水テープ６，６により貼り付けている。
第１止水プレート３ａと第２止水プレート３ｂは、同形状のものであり、図３にその一例を示す。
止水プレート３ａ（３ｂ）は、図３に示すように、略直交する２辺部３１ａ，３１ｂを有するＬ字状の切欠部３１が設けられた板状の第１止水片３２と、この第１止水片３２の前記２辺部３１ａ，３１ｂから、それぞれ前記第１止水片３２に対して略直交するように立ち上げられるとともに互いに略直交して接合された板状の第２及び第３止水片３３，３４とを備える。なお、第２止水片３３及び第３止水片３４は、これら第２止水片３３及び第３止水片３４とが略直交する略直交部分の出隅側に、第１止水片３２が位置する場合、第１止水片３２を手前として左側を第２止水片３３、右側を第３止水片３４とする。
止水プレート３ａ（３ｂ）は、可撓性を有する樹脂性のものであり、ここでは、第１止水片３２、第２止水片３３及び第３止水片３４は一体成型により構成されている。
【００２５】
また、この実施の形態における止水プレート３ａ（３ｂ）では、第１止水片３２は平面視正方形の板材の一角部分を平面視正方形の板材の中心が頂点となるように且つ、平面視正方形状の隣り合う辺部の中心を通るようにＬ字状に切り欠いて形成されている。
つまり、第１止水片の２辺部３１ａ，３１ｂのそれぞれの辺部の長さは、同一の長さであるとともに、これら２辺部３１ａ，３１ｂのそれぞれに略直交する辺部の長さも２辺部３１ａ、３１ｂのそれぞれと同一の長さとなっている。
また、第２及び第３止水片３３，３４はそれぞれ正方形状に構成され、それぞれの辺部の長さは、２辺部３１ａ，３１ｂのそれぞれの長さと同じ長さとなっている。これらの辺部の長さは、突出壁２の厚みよりも若干短いものとなっている。例えば、２辺部３１ａ，３１ｂのそれぞれの長さを９０ｍｍとしている。
【００２６】
このように構成された第１及び第２止水プレート３ａ，３ｂが突出壁２上端面２ａの基端側縁と外壁１との接合部分の周囲に取り付けられている。
図２に示すように、第１止水プレート３ａでは、その第２止水片３３と隣り合う第１止水片３２との略直交部分の出隅側を、突出壁２の上端面の基端部に沿わせて配置させるとともに第２止水片３３を突出壁２の上端面上に配置させることで、第３止水片３４を突出壁２の一側面（図１及び図２では正面視左側の側面）に当接させる。このとき、第２止水片３３及び第３止水片３４との略直交部分は入隅側で突出壁２の上端面２ａと一方の側面２ｂとの接合部分に嵌合された状態となる。
これにより、第２止水片３３と第１止水片３２とで突出壁２の上端面と該上端面と水平方向で隣接する外壁面とが覆われ、第３止水片３４と第１止水片３２とで突出壁の一方の側面と該側面と水平方向で隣り合う外壁面とが覆われた状態となる。
【００２７】
また、第２止水プレート３ｂでは、第３止水片３４と隣り合う第１止水片３２との略直交部分を、突出壁２の上端面の基端部に沿うように配置させるとともに、第３止水片３４を第１止水プレート３ａの第２止水片３３に重ねた状態で突出壁２の上端面上に位置させて（ここでは、第１止水プレート３ａの第２止水片３３に重ねた状態で）配置させることで、第２止水片３３を突出壁２の他側面（図１及び図２では正面視右側の側面）に当接させる。
これにより、第３止水片３４と第１止水片３２とで突出壁２の上端面と該上端面と水平方向で隣接する外壁１の外壁面１ａとの接合部分が覆われ、第２止水片３３と第１止水片３２とで、突出壁２上部の他方の側面２ｃと該他方の側面２ｃと水平方向で隣り合う外壁面１ａとの接合部分（図２で示す２ｅ）が覆われた状態となる。
このように第１止水プレート３ａと第２止水プレート３ｂとが取り付けられているので、突出壁２上部の基端部と外壁との接合部は完全に覆われ止水された状態となっている。
【００２８】
このように突出壁上部と外壁とを覆う第１止水プレート３ａと第２止水プレート３ｂにおいて、突出壁２に取り付けられた部位の上方から断面コ字状の屋根耐水シート５が被せられている。
屋根耐水シート５は、第１止水プレート３ａの第２及び第３止水片３３，３４と第２止水プレート３ｂの第２及び第３止水片３３，３４と突出壁２の上端面及び両側面との継ぎ目部分を覆っている。
【００２９】
上記構成によれば、突出壁２が、外壁１の中央部に、両側面２ｂ，２ｃが外壁１の外壁面１ａと略直交するように接合された構造において、突出壁２上部と外壁１との接合部分は第１及び第２止水プレート３ａ，３ｂにより覆われ、これら接合部分への透水を防止することができる。つまり、突出壁２が、外壁に対して略直交して前記外壁に取り付けられたバルコニーや出窓の側壁等である場合、前記突出壁の上部と前記袖壁との接合部分に止水プレートを取り付けるだけで、壁面突出壁の上部と外壁との接合部分の止水処理工程が容易に行うことができる。
【００３０】
次に、上述した第１止水プレート３ａと第２止水プレート３ｂとを用いて、外壁と、該外壁に突出して設けられた突出壁の上部との接合部分の止水を行う構造の他の例を説明する。
【００３１】
＜変形例１＞
図４及び図５に上記第１止水プレート３ａと第２止水プレート３ｂとが取り付けられた止水構造の第１の変形例を示す。
図４に示す止水構造１０Ａでは、上下方向に延在する袖壁１１を有する外壁１Ａと、袖壁１１の先端面１１ａに、該袖壁１１に沿って接合された突出壁２１と、該突出壁２１の上部と袖壁１１との接合部分（図５で示す１ｆ）の周囲を覆う第１止水プレート３ａ及び第２止水プレート３ｂとを備える。
【００３２】
袖壁１１は、建物の外壁１Ａの外壁面１ａから該外壁面１ａに対して略直交するように外部に突出して設けられている。ここでは袖壁１１では、先端面１１ａに対して両側面（図４及び５では一方の側面だけ１１ｂで図示）が略直交するように形成されている。
なお、この袖壁１１を有する外壁１Ａは第１の実施の形態の外壁１と同様にパネル工法により構築されたものであり、木質パネルを組み合わせることでなる。突出壁２１は、平面視矩形状の木質パネルからなり、厚みが袖壁１１の厚みと略同一の厚みとなるように形成されている。
そして、一方の側端面２１ｄを袖壁１１の先端面１１ａに当接させて突出壁２１は袖壁１１に接合され、突出壁２１の上端面２１ａは、袖壁１１の先端面１１ａの該突出壁２１上方の部分と略直交した状態となっている。また、突出壁２１の両側面（図４及び図５では一側面側だけ２１ｂで図示）は袖壁１１の両側面１１ｂのそれぞれと略面一の状態となっている。
【００３３】
そして、突出壁２１の上部と、袖壁１１との接合部分の周囲には、接合部分を覆うように第１止水プレート３ａと第２止水プレート３ｂとが取り付けられている。
つまり、第１止水プレート３ａは、第２及び第３止水片３３，３４とが略直交する出隅部分を突出壁２１の上端面２１ａの基端縁（基端面２１ｄの上端縁）に沿わせて配置し、第２止水片３３を突出壁２１の上端面２１ａに、また第３止水片３４を袖壁１１において突出壁２１の上方の先端面１１ａに、それぞれ当接させるとともに、第１止水片３２を突出壁２１の一方の側面（図４及び図５では左側の側面）と該一方の側面と隣り合うとともに略面一である袖壁１１の側面とに渡って当接した状態で設置されている。
また、第２止水プレート３ｂは、第２及び第３止水片３３，３４の略直交部分を出隅側で第１止水プレートにおける第２及び第３止水片３３，３４の略直交部分つまり、突出壁２１の上端面２１ａの基端縁に沿わせて配置されている。また、第３止水片３３が突出壁２１の上端面２１ａ上の第１止水プレート３ａの第２止水片３３に、第２止水片３３が袖壁１１における突出壁２１の上方の先端面１１ａに当接されている第１止水プレート３ａの第３止水片３４に、それぞれ重ねられ、第１止水片３２を突出壁２１の他方の側面（図４及び図５では右側の側面）２１ｂと該他方の側面２１ｂと隣り合う袖壁１１の側面１１ｂとに渡って当接した状態で設置されている。
【００３４】
図６に、止水部材が、外壁１Ｂの出隅部１３と、該出隅部１３に取り付けられた突出壁２２上部との接合部の周囲に取り付けられた構造の第２の変形例を示す。
図６に示すように、外壁１Ｂの出隅部１３に、該出隅部１３を構成する壁体のうち一方の壁体の壁面１３ａと一側面２２ｂが略面一となるように突出壁２２が取り付けられている。
この突出壁２２としては例えば、外壁１Ｂの出隅部１３から外方に張り出して取り付けられるバルコニーの側壁等が挙げられ、ここでは、上述した突出壁２や突出壁２１と同様に平面視矩形状の木質パネルからなる。
そして、この突出壁２２上部と、外壁出隅部１３との接合部分を覆うように第１及び第２止水プレート３ａ，３ｂとが設けられている。
詳細には、第１止水プレート３ａは、その第２止水片３３と隣り合う第１止水片３２との略直交部分（１辺部３１ａ）が、突出壁２２の上端面２２ａの基端縁２２ｄ（図７参照）に沿うように配置させるとともに第２止水片３３を突出壁２２の上端面２２ａ上に配置することで、第３止水片３４は突出壁２２の他方の側面（図６及び図７では正面視左側の側面）に当接される。
【００３５】
これにより、第２止水片３３と第１止水片３２とで突出壁２２の上端面２２ａと該上端面２２ａと水平方向で隣接する外壁面１３ｂ（図７参照）、つまり突出壁２２より上方の外壁面部分とが覆われ、第３止水片３４と第１止水片３２とで突出壁２２の他方の側面と該側面と水平方向で隣り合う外壁面１３ｃとが覆われた状態となる。なお外壁面１３ｃは外壁面１３ｂと同一平面となっている。
【００３６】
また、第２止水プレート３ｂは、第２及び第３止水片３３，３４の略直交部分の出隅側部分を第１止水プレート３ａにおける第２及び第３止水片３３，３４の略直交部分つまり、突出壁２２の上端面２２ａの基端縁に沿わせて配置されている。さらに、第３止水片３３を突出壁２２の上端面２２ａ上の第１止水プレート３ａの第２止水片３３に、第２止水片３３を外壁面１３ｂに当接された第１止水プレート３ａの第１止水片３２に、それぞれ重ねられ、第１止水片３２を突出壁２２の一方の側面（図６及び図７では右側の側面）２２ｂと該一方の側面２２ｂと隣り合い、一方の側面２２ｂと略面一である外壁の壁面１３ａとに渡って当接した状態で設置されている。なお、図６に示す第１止水プレート３ｂの第２及び第３止水片３３，３４は、第１止水プレート３ａの第２止水片３３及び第３止水片３４の下面側で重ねられているものである。
【００３７】
なお、突出壁の上部と外壁との接合部分を覆う際に、突出壁の上端面上と該上端面と隣合う外壁面上で重なり合う第１及び第２止水プレートの各部位は、第１止水プレートが下、第２止水プレートが上で重なるように説明したが、これに限らず、第２止水プレートを先に外壁及び突出壁に取り付けて、第２止水プレートが下、第１止水プレートが上で重なるようにしてもよい。
また、外壁と該外壁に接合される突出壁上部の止水を行う構造は、止水プレートが上記形状のものであり、突出壁上部の上端面と該上端面と隣り合う外壁の外壁面との接続部分、及び突出壁上部の両側面と該両側面のそれぞれと隣り合う外壁の外壁面との接続部分とを覆うものであれば、上記実施の形態で説明したもの以外の第１及び第２止水プレートの組み合わせにより実現されても良いことは勿論である。
また、止水プレートの大きさ等も任意であり、その他、具体的な構成についても適宜に変更可能であることは勿論である。
【００４０】
【発明の効果】
請求項１記載の発明によれば、突出壁が、壁の出隅部に、一側面が前記出隅部を構成する壁面のうちの一方の壁面と面一となるように、且つ、他側面が、前記出隅部を構成する壁面のうちの他方の壁面と略直交するように接合された構造であっても、前記突出壁上部と前記出隅部との接合部分は前記２つの止水プレートにより覆われ、これら接合部分への透水を防止することができる。つまり、前記突出壁が、外壁に対して略直交して前記外壁に取り付けられたバルコニーや出窓の側壁等である場合、前記突出壁の上部と前記袖壁との接合部分に止水プレートを取り付けるだけで、壁面突出壁の上部と外壁との接合部分の止水処理工程が容易に行うことができる。
【００４１】
請求項２記載の発明によれば、前記突出壁が、前記外壁の中央部に、両側面が前記外壁の外壁面と略直交するように接合された構造であっても、前記突出壁上部と前記外壁との接合部分は前記２つの止水プレートにより覆われ、これら接合部分への透水を防止することができる。つまり、前記突出壁が、外壁に対して略直交して前記外壁に取り付けられたバルコニーや出窓の側壁等である場合、前記突出壁の上部と前記袖壁との接合部分に止水プレートを取り付けるだけで、壁面突出壁の上部と外壁との接合部分の止水処理工程が容易に行うことができる。
【図面の簡単な説明】
【図１】本発明を適用した一実施の形態の止水構造を示す図である。
【図２】図１の止水構造において突出壁に取り付けられる前の第１及び第２止水プレートを示す図である。
【図３】本発明に係る止水プレートの一例を示す図である。
【図４】止水プレートが取り付けられた止水構造の第１の変形例を示す。
【図５】図４に示す止水構造において、止水プレートが取り付けられる前の状態を示す図である。
【図６】止水プレートが取り付けられた止水構造の第２の変形例を示す。
【図７】図６に示す止水構造において、止水プレートが取り付けられる前の状態を示す図である。
【符号の説明】
１，１Ａ，１Ｂ      外壁
１ａ      外壁面
２，２１，２２      突出壁
２ａ，２１ａ，２２ａ      上端面
２ｂ      一側面
２ｃ      他側面
３ａ      第１止水プレート（止水プレート）
３ｂ      第２止水プレート（止水プレート）
１０，１０Ａ      止水構造
１１      袖壁
１１ａ      先端面（端面）
１１ｂ      側面
１３      出隅部
１３ａ      外壁面
１３ｂ      外壁面
１３ｃ      外壁面
２１ｂ      側面
２２ｂ      一側面
３１      切欠部
３１ａ，３１ｂ      辺部
３２      第１止水片
３３      第２止水片
３４      第３止水片
【図１】
0004806142.tif 000002
【図２】
0004806142.tif 000003
【図３】
0004806142.tif 000004
【図４】
0004806142.tif 000005
【図５】
0004806142.tif 000006
【図６】
0004806142.tif 000007
【図７】
0004806142.tif 000008